(57)【要約】【課題】  ノズル自体が簡略な構造を持つものであってさらにノズルまでの配管が簡単な粒状散布装置を提供すること。【解決手段】ノズル１の管路の上壁面に粒状物を管路内に落下させる孔１０を設ける。さらに、孔１０から管路内に落下した粒状物を管路内に拡散させてノズル１の流出開口１ｂ側に送り込むための仕切り板１１を管路内に設ける。そうすると粒状物がその仕切り板１１によって拡散されてその拡散された粒状物が流出開口１ｂから散布される。流出開口の下方に基板を配設しておけば、その拡散された粒状物が基板一面に一様に散布される。【選択図】図１
2005254150.tif 000002
【特許請求の範囲】
【請求項１】
粒状物を散布する粒状物散布装置において、
エアーを流出するエアー源と、
前記エアー源から流出されたエアーを一端側の受容開口で受け容れて管路に導き該管路の他端側にある流出開口から該エアーを流出させるノズルと、
前記ノズルの前記管路の上壁面に設けられた、前記粒状物を前記管路内に落下させる孔とを備え、
前記ノズルは、前記孔から前記管路内に落下した前記粒状物を、前記管路内に拡散させて前記流出開口側に送り込む拡散構造を有するものであることを特徴とする粒状物散布装置。
【請求項２】
前記拡散構造が、前記孔から前記粒状物が落下してくる位置に一面が向くように、かつ該一面が前記管路内を流れるエアーの流れる方向に沿う向きに配設された仕切り板により構成されたものであることを特徴とする請求項１記載の粒状物散布装置。
【請求項３】
さらに前記孔から落下してきた粒状物を前記仕切り板まで案内する案内管を備え、
前記案内管は、前記仕切り板側の端部に、前記エアーの流れの上流側を向くように斜めにカットされた開口を有し、
前記拡散構造が、前記仕切り板に加え、さらに前記案内管の仕切り板側の開口により構成されたものであることを特徴とする請求項２記載の粒状物散布装置。
【請求項４】
前記拡散構造が、前記流出開口の中央を左右に仕切る、前記流出開口に向けて左右に拡がりを持つ仕切り片により構成されたものであることを特徴とする請求項１記載の粒状物散布装置。
【請求項５】
前記拡散構造が、前記管路の上壁面に、エアーの流れに交わる方向に延びる前記孔を設けることにより構成されたものであることを特徴とする請求項１記載の粒状物散布装置。
【発明の詳細な説明】
【技術分野】
【０００１】
粒状物を散布する粒状物散布装置に関する。
【背景技術】
【０００２】
従来より粒状物を散布する装置として、ウレタン樹脂などの反応性硬化樹脂と粒状物とを混合して壁などの被吹き付け面に塗着することができる混合吹き付け装置などが提案されている（例えば特許文献１参照）。
【０００３】
ところで、液晶表示装置の表示画面を製作する場合には、基板の表面に例えばガラス玉のような粒状物を散布した後、その粒状物の上からもう一枚の基板を張り合わせてその散布した粒状物をスペーサとして作用させておいて、その基板と基板の間に液晶を封入し、さらに各基板に電極を形成することによって液晶セルが製作される。したがって、基板表面に粒状物が一様に散布されないと、その粒状物が散布された基板と粒状物の上から張り合わされる基板との間隔が一定に保たれない。そこで、その粒状物を基板の表面に一様に散布する粒状物散布装置が提案されている（例えば特許文献２，３参照）。
【０００４】
この特許文献１では、噴出ノズルを回動自在にしてその噴出ノズルを回動させながら面全体に一様に散布する散布装置が提案されている。しかし、この特許文献１のものでは、噴出ノズルを回動させる機構が必要になり、またその噴出ノズルの回動の制御を行う制御装置が必要になって、装置全体が大型化するという問題がある。
【０００５】
また特許文献２では、混合ガスを噴出させることにより噴出口付近にエジェクタ効果を発生させ、容器内に蓄積されている粒状物をエジェクタ効果により噴出口まで引き込む技術が提案されている。これも粒状物の計量を行うロードセルを設けたり配管経路が複雑になったりして装置全体が大型化するという問題がある。
【特許文献１】特開平６−３０１０４１号公報
【特許文献２】特開１０−３２８５８６号公報
【特許文献３】特開平８−２９４６５９号公報
【発明の開示】
【発明が解決しようとする課題】
【０００６】
本発明は、上記事情に鑑み、ノズル自体が簡略な構造を持つものであってさらにノズルまでの配管が簡単な粒状散布装置を提供することを目的とする。
【課題を解決するための手段】
【０００７】
上記目的を達成する本発明の粒状物散布装置は、粒状物を散布する粒状物散布装置であって、
エアーを流出するエアー源と、
上記エアー源から流出されたエアーを一端側の受容開口で受け容れて管路に導きその管路の他端側にある流出開口からそのエアーを流出させるノズルと、
上記ノズルの前記管路の上壁面に設けられた、上記粒状物を前記管路内に落下させる孔とを備え、
上記ノズルは、上記孔から上記管路内に落下した上記粒状物を、上記管路内に拡散させて上記流出開口側に送り込む拡散構造を有するものであることを特徴とする。
【０００８】
上記本発明の粒状物散布装置によれば、上記ノズルの上記管路の上壁面に設けられた、粒状物を上記管路内に落下させる孔とその孔から落下した粒状物を管路内に拡散させる拡散構造とを設けることによって、粒状物が一様に拡散されて流出開口に送り込まれ、その拡散されて送り込まれた流出物が流出開口から基板上に一様に散布される。
【０００９】
そうすると、ノズルの管路の上壁面に孔を設けてその孔の上に粒状物入りのタンクを置くという簡単な構成で基板表面上に一様に粒状物を散布することができる粒状物散布装置が実現される。また粒状物入りのタンクを上記孔の上に置き、また建物内にあるエアー設備の排出管とノズルの入力管との間を配管すればエアーが供給されるのでノズル自体の構成もさることながら、このノズルへの配管が非常に簡単になる。
【００１０】
ここで上記拡散構造が、上記孔から上記粒状物が落下してくる位置に一面が向くように、かつその一面が上記管路内を流れるエアーの流れる方向に沿う向きに配設された仕切り板により構成されたものであることが好ましい。
【００１１】
このように上記孔から粒状物が落下してくる位置に一面が向くように、かつその一面が上記管路内を流れるエアーの流れる方向に沿う向きに配設された仕切り板を設けるという簡単な構成で簡単に拡散構造が実現される。
【００１２】
また、仕切り板を設けるという簡単な構成だけでも良いが、さらに上記孔から落下してきた粒状物を上記仕切り板まで案内する案内管を設けて、その案内管の、上記仕切り板側の端部に、上記エアーの流れの上流側を向くように斜めにカットされた開口を設けると、より効果的な拡散構造が実現される。
【００１３】
上記仕切り板を設けることも、上記案内管を設けることも、その案内管に斜めにカットされた開口を設けることもさほど難しいことではなく、粒状物が一様に散布される粒状物散布装置が簡単に構成される。
【００１４】
またこの拡散構造は、上記流出開口の中央を左右に仕切る、上記流出開口に向けて左右に拡がりを持つ仕切り片により構成されたものであっても、上記管路の上壁面にエアーの流れに交わる方向に延びる上記孔を設けることにより構成されたものであっても良い。
【発明の効果】
【００１５】
以上、説明したように、ノズル自体が簡略な構造を持つものであってさらにノズルまでの配管が簡単な粒状散布装置が実現される。
【発明を実施するための最良の形態】
【００１６】
以下図面を参照して本発明の実施の形態を説明する。
【００１７】
図１は、粒状物散布装置のノズル１の部分の構成を示した図である。
【００１８】
図１（ａ）にはノズル１を上方から見た図が、図１（ｂ）にはノズル１を側面から見た図が示されている。
【００１９】
図１（ａ）、図１（ｂ）に示すようにノズル１の管路の上壁面に粒状物を管路内に落下させる孔１０が設けられている。この孔１０の上に粒状物が入ったタンク（不図示）が置かれ、そのタンクの排出弁が開放されると、そのタンクから粒状物が屈曲管１ａを経由してノズル１の管路内に落下する仕組みになっている。
【００２０】
図１（ａ）、（ｂ）に示すノズルの右側（矢印の矢の半端側）にはノズルとエアー源（不図示）とを繋ぐ配管が行われていてエアー源の出力弁が開放されると、矢印の方向に沿ってエアーが供給される。
【００２１】
また、管路の中央には仕切り板１１が配設されている。この仕切り板１１は、孔１０から粒状物が落下してくる位置に一面が向くように、かつその一面が管路内を流れるエアーの流れる方向（図中矢印で示す方向）に沿う向きに配設されている。ここではこの仕切り板１１により拡散構造が形成されている。
【００２２】
この仕切り板１１により粒状物が一様に拡散されて流出開口１ｂまで送り込まれてその流出開口１ｂの下方に配設された基板２表面に一様に散布される。
【００２３】
図２は、図１の構成に加えて、さらに孔から落下してきた粒状物を仕切り板１１まで案内する案内管１０ａを設けた例を示す図である。
【００２４】
この案内管１０ａは、仕切り板１１側の端部に、エアーの流れの上流側を向くように斜めにカットされた開口１０１ａを有し、拡散構造が、仕切り板１１に加え、さらにその案内管１０ａの仕切り板側の開口１０１ａにより構成されたものである。
【００２５】
このような構成すると、開口１０１ａで上流側に向かう粒状物つまり流れに逆らって上流側に向かった粒状物が案内管により一様に拡散されて流出開口まで送り込まれる。
【００２６】
図３は、拡散構造の他の構成例を示す図である。
【００２７】
図３には、拡散構造が、流出開口１ｂの中央を左右に仕切る、流出開口に向けて左右に拡がりを持つ仕切り片１２により構成されたものが示されている。
【００２８】
このように流出開口の中央を中央を左右に仕切る、流出開口に向けて左右に拡がりを持つ仕切り片１を設けると、流出開口まで送り込まれた粒状物がその流出開口から流出するときに拡散されて基板表面に一様に散布される。
【００２９】
図４も拡散構造の他の構成例を示す図である。
【００３０】
図４には、拡散構造が、管路の上壁面にエアーの流れに交わる方向に延びる孔１００を設けることにより構成されたものが示されている。
【００３１】
このようにしても粒状物が、管路内に一様に拡散され流出開口まで粒状物が送り込まれて、さらにその流出開口から基板表面に一様に散布される。
【図面の簡単な説明】
【００３２】
【図１】粒状物散布装置のノズル１の部分の構成を示した図である。
【図２】孔から落下してきた粒状物を仕切り板まで案内する案内管１０ａを設けた例を示す図である。
【図３】拡散構造の他の構成例を示す図である。
【図４】拡散構造の別の構成例を示す図である。
【符号の説明】
【００３３】
１    ノズル
１ａ    屈曲管
１ｂ    流出開口
１０  １００    孔
１０ａ    案内管
１００ａ    開口
１１    仕切り板
１２    仕切り片
【図１】
2005254150.tif 000003
【図２】
2005254150.tif 000004
【図３】
2005254150.tif 000005
【図４】
2005254150.tif 000006